(57)【要約】【課題】スクリーン面に発生する弛みを除去するロール式可動間仕切を提供する。【解決手段】ロール式可動間仕切１は、引出し側端部１１の上端から下端までに取り付けられ、引き出されたスクリーン２の縁部６と引出し側立柱４との間隔を上端が下端よりも大きくなるように、引出し側端部１１において下端から上端に向かって傾斜した縁部６を有するスクリーン２と、スクリーン２の引出し側の縁部６の上端から下端までを係止し、スクリーン２を引出し側立柱４に接続させる接続部材７と、接続部材７の内部に設けられ、接続部材７の上端とスクリーン２の縁部６の上端とを連結するスプリング８と、を備え、接続部材７の上端を引出し側立柱４に引き寄せて接続することでスプリング８を収縮させ、スクリーン２の上端側をスプリング８の復元力により緊張させ、スクリーン２の面に発生する弛みを除去する。【選択図】図１
2008248550.tif 000002
【特許請求の範囲】
【請求項１】
スクリーンをロール状に収納する巻上げ側立柱と、水平方向に引き出されたスクリーンと接続する引出し側立柱と、巻上げ側立柱と引出し側立柱とにより両端が支持されるスクリーンとからなり、巻上げ側立柱からスクリーンを引出し、引出し側立柱に接続することで室内空間を仕切るロール式可動間仕切であって、
引出し側端部の上端から下端までに取り付けられた縁部を有するスクリーンと、
スクリーンの引出し側の縁部の少なくともその一部を係止し、スクリーンを引出し側立柱に接続させる接続部材と、
接続部材内の上部の少なくとも１箇所に設けられ、接続部材の上端とスクリーンの縁部の上端とを連結するバネ材と、を備え、
接続部材の上端を引出し側立柱に引き寄せて接続し、収縮したバネ材の復元力によりスクリーン面に発生する弛みを除去することを特徴とするロール式可動間仕切。
【請求項２】
請求項１の記載のロール式可動間仕切において、スクリーンの引出し側端部と縁部とは、引き出されたスクリーンの端部と引出し側立柱との間隔を上端が下端よりも大きくなるように下端から上端に向かって傾斜させて接合されていることを特徴とするロール式可動間仕切。
【請求項３】
請求項１又は２に記載のロール式可動間仕切において、スクリーンの縁部の厚みはスクリーンの厚みよりも厚く、接続部材は、スクリーンの縁部側の上端から下端まで縁部の厚みより小さな間隔の溝部を上端から下端まで有し、接続部材は、挿入されたスクリーンの縁部を係止することを特徴とするロール式可動間仕切。
【請求項４】
請求項１乃至３のいずれか１に記載のロール式可動間仕切において、引出し側立柱は、立柱の外周面との間に隙間が設けられた円環部を上端及び下端に有し、接続部材は、端部から突出して設けられた突起部を上端及び下端に有し、接続部材の上下端の突起部をそれぞれ引出し側立柱の円環部に係止することでスクリーンを引出し側立柱に接続することを特徴とするロール式可動間仕切。
【請求項５】
請求項１乃至４のいずれか１に記載のロール式可動間仕切において、接続部材の上端及び下端に設けられた突起部の少なくとも一方は上下方向に移動可能であり、少なくとも一方の突起部は、スクリーンを引出し側立柱に接続する際には、接続部材の内部に収納されることを特徴とするロール式可動間仕切。
【請求項６】
請求項１乃至５のいずれか１に記載のロール式可動間仕切において、引出し側立柱には複数のスクリーンが取り付けられることを特徴とするロール式可動間仕切。
【発明の詳細な説明】
【技術分野】
【０００１】
本発明は、ロール式可動間仕切に係り、特に、スクリーンをロール状に収納する巻上げ側立柱と、水平方向に引き出されたスクリーンと接続する引出し側立柱と、巻上げ側立柱と引出し側立柱とにより両端が支持されるスクリーンとからなり、巻上げ側立柱からスクリーンを引出し、引出し側立柱に接続することで室内空間を仕切るロール式可動間仕切に関する。
【背景技術】
【０００２】
オフィス、商業施設、展示場等の室内空間を仕切る間仕切には、クロスなどからなるスクリーンを引き出すことで、室内空間を仕切るロール式可動間仕切がある。図７に、従来のロール式可動間仕切の１つの実施例を示す。ロール式可動間仕切１００は、スクリーン２、巻上げ側立柱３、及び引出し側立柱４から構成される。また、巻上げ側立柱３及び引出し側立柱４は、脚部５により床面に自立する。本発明では、スクリーン２の巻上げ側とは、図７の矢印Ａの方向とし、スクリーン２の引出し側とは矢印Ｂの方向とする。また、本発明では、スクリーン２の上端とは矢印Ｃの方向のスクリーン２の端部をいい、スクリーン２の下端とは矢印Ｄの方向のスクリーン２の端部をいう。
【０００３】
ロール式可動間仕切を使用しない場合には、スクリーン２は巻上げ側立柱３の内部に巻き上げられて収納される。ロール式可動間仕切を使用する場合には、スクリーン２の引出し側に設けられた縁部（図示せず）を掴み引出し側立柱４に接続する。巻上げ側立柱３の内部には、スプリング等によりスクリーン２を巻き上げる機構が設けられる。
【０００４】
このロール式可動間仕切１００に使用されるスクリーン２は、ロールブラインドに使用されるクロス等の薄い布製のものが用いられるのが一般的である。このスクリーン２には、画像プリントが施される場合、或いはプロジェクタにより映像が映し出される場合がある。
【０００５】
このロール式可動間仕切１００は、オフィス等の室内空間に設置されるが、スクリーン２自体が薄い素材からなるため、スクリーン２の面に弛みが発生し、画像プリントや映像が歪む場合がある。その弛みが発生する原因の一つは、床面の不陸により巻上げ側立柱３と引出し側立柱４との床面のレベル差が生じることによる。このレベル差によりスクリーン２にはせん断変形が発生し、スクリーン２の斜め方向に筋状の皺が生じる。この巻上げ側立柱３と引出し側立柱４との床面のレベル差を解消するために、巻上げ側立柱３及び引出し側立柱４の脚部５に高さ調節機構（図示せず）を設け、巻上げ側立柱３及び引出し側立柱４のレベルを調節することが行われている。
【０００６】
一方、特許文献１には、巻込収納式ロールスクリーン装置が開示されている。ここでは、スクリーンの側縁に取付けた縁部材を、外ガイドの内側に水平方向にスライド自在に組み立てたリップ溝型状の内ガイド内に、上下に移動自在に嵌挿している。内ガイドはバネにより外ガイドの内側において外側に付勢しており、このバネの力により、スクリーンの縁部に外側への引張力を付与している。また、特許文献２には、第１フレームの中央部と第２フレームの中央部とを連結し、伸縮手段により第１及び第２フレームを互いに離反する方向に付勢し、スクリーンにテンションを付与する可動式スクリーンが開示されている。
【０００７】
【特許文献１】特開平１０−２１２８７８号公報
【特許文献２】特開平１１−１４２９７４号公報
【発明の開示】
【発明が解決しようとする課題】
【０００８】
ロール式可動間仕切のスクリーン面には、巻上げ側立柱又は引出し側立柱が内側に倒れ込むことにより弛みが発生する。これは、縁部を含むスクリーンの自重により巻上げ側立柱又は引出し側立柱が内側下方に引張力を受け、巻上げ側立柱又は引出し側立柱は、この引張力により曲げモーメントを受けて内側に変形することによる。このスクリーン面に生じる弛みは、上述した床面の不陸に対処する高さ調節機構によっては回避できない。すなわち、巻上げ側立柱又は引出し側立柱のスクリーンの変形によりスクリーンには曲げ変形が発生するからである。また、この変形はスクリーンの自重により発生するため、スクリーンの引出し長さが大きくなればなるほど増大するという性質を有する。
【０００９】
このスクリーンの曲げ変形によりスクリーン面に発生する弛みは、画像プリントや映像を歪ませることになり、ロール式可動間仕切の商品価値を著しく低下させる。
【００１０】
本願の目的は、かかる課題を解決し、スクリーン面に発生する弛みを除去するロール式可動間仕切を提供することである。
【課題を解決するための手段】
【００１１】
上記目的を達成するため、本発明に係るロール式可動間仕切は、スクリーンをロール状に収納する巻上げ側立柱と、水平方向に引き出されたスクリーンと接続する引出し側立柱と、巻上げ側立柱と引出し側立柱とにより両端が支持されるスクリーンとからなり、巻上げ側立柱からスクリーンを引出し、引出し側立柱に接続することで室内空間を仕切るロール式可動間仕切であって、引出し側端部の上端から下端までに取り付けられた縁部を有するスクリーンと、スクリーンの引出し側の縁部の少なくともその一部を係止し、スクリーンを引出し側立柱に接続させる接続部材と、接続部材内の上部の少なくとも１箇所に設けられ、接続部材の上端とスクリーンの縁部の上端とを連結するバネ材と、を備え、接続部材の上端を引出し側立柱に引き寄せて接続し、収縮したバネ材の復元力によりスクリーン面に発生する弛みを除去することを特徴とする。
【００１２】
また、ロール式可動間仕切は、スクリーンの引出し側端部と縁部とは、引き出されたスクリーンの端部と引出し側立柱との間隔を上端が下端よりも大きくなるように下端から上端に向かって傾斜させて接合されていることが好ましい。
【００１３】
また、ロール式可動間仕切は、スクリーンの縁部の厚みはスクリーンの厚みよりも厚く、接続部材が、スクリーンの縁部側の上端から下端まで縁部の厚みより小さな間隔の溝部を上端から下端まで有し、接続部材が、挿入されたスクリーンの縁部を係止することが好ましい。
【００１４】
また、ロール式可動間仕切は、引出し側立柱が、立柱の外周面との間に隙間が設けられた円環部を上端及び下端に有し、接続部材が、端部から突出して設けられた突起部を上端及び下端に有し、接続部材の上下端の突起部をそれぞれ引出し側立柱の円環部に係止することでスクリーンを引出し側立柱に接続することが好ましい。
【００１５】
また、ロール式可動間仕切は、接続部材の上端及び下端に設けられた突起部の少なくとも一方は上下方向に移動可能であり、少なくとも一方の突起部が、スクリーンを引出し側立柱に接続する際には、接続部材の内部に収納されることが好ましい。
【００１６】
さらに、ロール式可動間仕切は、引出し側立柱には複数のスクリーンが取り付けられることが好ましい。
【発明の効果】
【００１７】
上記構成により、ロール式可動間仕切のスクリーンは、引出し側端部の上端から下端までに縁部が取り付けられる。そして、スクリーンは、スクリーンの引出し側の縁部の上端から下端までを係止する接続部材により引出し側立柱に固定される。また、接続部材内の上部にはバネ材が取付けられ、接続部材の上端とスクリーンの縁部の上端とを連結する。このロール式可動間仕切を引出し側立柱に固定する際に、接続部材の上端と引出し側立柱の上端とに生じる間隙を、バネ材を収縮させながら引出し側立柱に引き寄せて上端の接続部材を固定する。これにより、スクリーンの上端側にバネ材の復元力による張力が導入され、バネ材の復元力により引き出されたスクリーンの引出し側端部を下端から上端に向かって傾斜させ、スクリーン面に発生する弛みが除去される。
【００１８】
以上のように、本発明に係るロール式可動間仕切によれば、スクリーン面に発生する弛みを除去することが可能となる。
【発明を実施するための最良の形態】
【００１９】
以下に、図面を用いて本発明に係る実施の形態につき、詳細に説明する。
【００２０】
図１に、ロール式可動間仕切の１つの実施形態の概略構成を示す。図１は説明のため一部を断面で示す。また、図２に、図１の一部を拡大した断面を示す。さらに、図３に、図２のＡ−Ａ断面及びＢ−Ｂ断面を示す。
【００２１】
図１に示すように、ロール式可動間仕切１は、巻上げ側立柱３、引出し側立柱４、及びスクリーン２から構成される。また、スクリーン２は、その引出し側端部１１に縁部６が設けられ、縁部６はスクリーン２が引出し側立柱４に接続されると、少なくともその一部が接続部材７に係止される。また、接続部材７の上端には、接続部材７と縁部６とを連結するバネ材であるスプリング８が取付けられる。また、引出し側立柱４の立柱本体部１２の立柱上端部１３及び立柱下端部１４には接続部材７の上下端に設けられた突起部９ａ，９ｂが取り付く円環部１０ａ，１０ｂが設けられる。なお、図１は、ロール式可動間仕切１の構成を説明するための図であり、スプリング８は収縮していない状態を示す。また、図２及び図３は、スクリーン２、接続部材７と、引出し側立柱４の立柱本体部１２及び円環部１０ａとの関係を説明する図であり、接続部材７が引出し側立柱４に接続された場合には、後述するように、接続部材７はスクリーン２の巻上げ側に移動した位置となり、スプリング８は収縮した状態となる。
【００２２】
図２及び図３（ａ）に示すように、スクリーン２の縁部６は、スクリーン定着金物１６及びスクリーン保護材１７から構成される。スクリーン定着金物１６は、定着部１９及び収納部２０から成る。スクリーン定着金物１６の収納部２０は、箱状に折り曲げられ内部にスクリーン端部２１を収納する。スクリーン定着金物１６の定着部１９は、スクリーン２を両側から挟み込み、スクリーン端部２１を定着させる。また、スクリーン保護材１７は、例えば紙から成り、接着などによりスクリーン端部２１に取り付けられてスクリーン定着金物１６の内部に配置される。このスクリーン保護材１７は、スクリーン端部２１の折り曲げ部１８を押えてスクリーン２の抜けを防止する。また、この接続部材７には上端から下端までスリットとなる開口部２４が設けられ、その開口部２４にスクリーン２が通される。また、スクリーン２が引き出された際に、スクリーン定着金物１６の縁部接触面２６と接続部材７の接続部材接触面２７とが接触し、縁部６が接続部材７に係止される。また、接続部材７のスクリーン２と反対側の面は、引出し側立柱４の円柱である立柱本体部１２の形状に合わせて凹面となっている。
【００２３】
図２及び図３（ｂ）に示すように、スクリーン２の縁部６の上部には、嵌合部２２、スプリング８及びスプリング取付け用ピン２３が設けられる。スプリング８は、予め収縮した状態でスクリーン２の縁部６の上部に設置しておく。嵌合部２２は上方に延長された接続部材７に設けられた開口部２４に挿入されて接続部材７と嵌合する。従って、スクリーン２の縁部６と接合部材７とは、この嵌合部２２によってのみ接続されることになる。スプリング８は、「コ」の字状に上方に延長されたスクリーン定着金物１６の収納部２０と、接続部材７に嵌合された嵌合部２２とを接続する。スプリング取付け用ピン２３は、スプリング８がずれないように接続部材７と嵌合部２２とに取付けられる。すなわち、接続部材７の上端とスクリーン２の縁部６の上端とバネ材であるスプリング８により連結される。本実施の形態では、バネ材はスプリング８とするが、収縮されることで復元力を発生する、例えば、板バネなどのバネ材であっても良い。このような構成により、スクリーン２を固定し、接続部材７を図３（ｂ）に示す矢印Ｓの方向に移動させた場合、又は、逆に接続部材７を固定し、スクリーン２を図３（ｂ）に示す矢印Ｔの方向に移動させた場合には、いずれの場合にもスプリング８は移動した量だけ収縮する。そして、スクリーン定着金物１６の収納部２０と、接続部材７とはスプリング８の復元力により元の位置に戻ろうとする。
【００２４】
図２に示すように、接続部材７の上端には突起部９ａが設けられる。接続部材７は、この突起部９ａを引出し側立柱４の円環部１０ａの内側に係止されることで接続される。同様な突起部９ｂが接続部材７の立柱上端部１３にも設けられ、上下の突起部９ａ，９ｂをそれぞれ引出し側立柱４の円環部１０ａ，１０ｂに係止することで、接続部材７は引出し側立柱４に接続される。この突起部９ａ又は９ｂは、接続部材７に係止する際には上下方向に移動することが可能であり、例えば、図２に示す突起部収納スペース２５などに納められる。また、突起部９ａ又は突起部９ｂは、接続部材７の内部に設けられたバネ材（図示せず）の復元力により、引出し側立柱４の円環部１０ａ又は１０ｂに係止されると元の位置に戻る。
【００２５】
ここで、図４を用いてスクリーン２面に発生する弛みについて説明する。図４（ａ）は、床面の不陸により発生する弛みを示す。ここでは、説明のために巻上げ側立柱３の床面のレベルを基準として、引出し側立柱４の床面の相対的なレベル差“ｄ”が生じた場合を示す。このとき、四辺形のスクリーン２の引出し側は、図４（ａ）に示すせん断力Ｆを受けて菱形に変形する。この変形により、スクリーン２の対角線のうちのＬ１は、変形がない場合の長さＬａに対してΔＬ１だけ長くなる。一方、スクリーン２の対角線のうちのＬ２は、変形がない場合の長さＬａに対してΔＬ１だけ短くなる。この変形により短くなった対角線Ｌ２に沿った部分のスクリーン２の面は弛み、この変形により長くなった対角線Ｌ１に沿った部分のスクリーン２の面は緊張される。その結果、対角線Ｌ１に沿った皺が発生する。従って、床面の不陸により発生する弛みに対し、理論上は、その発生原因である床面の不陸を吸収するように巻上げ側立柱３又は引出し側立柱４の高さを調節すればよい。
【００２６】
また、図４（ｂ）は、巻上げ側立柱３又は引出し側立柱４がスクリーン２の自重により発生する弛みを示す。ここでは、説明のために巻上げ側立柱３は変形しないものとして、引出し側立柱４において、脚部５を中心に相対的な回転角（α）が発生した場合を示す。この引出し側立柱４に発生する回転角は、スクリーン２の重心Ｇに、重心Ｇから引出し側立柱４までの距離を乗じた曲げモーメントＭによるものである。実際には、この曲げモーメントＭによる引出し側立柱４の変形は、一般的に、曲げ変形により生じる曲線的な変形形状となるが、微小変形であることから、ここでは上端の変形と下端の変形量とを直線で結んだ変形形状で図示する。このとき、四辺形のスクリーン２の面は、図４（ｂ）に示す曲げモーメントＭを受け、上端に凹となり下端に凸となる変形をする。この変形により、スクリーン２の上端の稜線の長さＬ３は、変形がない場合の長さＬｂに対してΔＬ２だけ短くなる。一方、スクリーン２の下端の稜線の長さＬ４は、変形がない場合の長さＬｂに対してΔＬ３だけ短くなる。しかし、ΔＬ３はΔＬ２に比べると極めて小さいため無視できる。この変形により長くなった上端のスクリーン２には弛みが発生し、ほとんど長さの変わらない下端のスクリーン２には弛みがほとんど発生しない。その結果、上端を中心に皺が発生する。
【００２７】
（第１の実施形態）
本発明のスクリーン２の弛みの除去方法についての第１の実施形態では、図２に示すように、接続部材７において、スクリーン２の縁部６が係止される範囲より上にスプリング８を設ける。このスプリング８は、スクリーン２の縁部６の上部に予め収縮された状態で設置される。そして、接続部材６の上端を引出し側立柱４に引き寄せて接続することで、更にスプリング８を収縮させ、スクリーン２の上端側にスプリング８の復元力による引張力を生じさせ、スクリーン２の面に発生する弛みを除去する。すなわち、上述したスクリーン２の自重による曲げモーメントＭに対して、理論的には、逆向きの曲げモーメントＭが発生するように引出し側立柱４の上端の少なくとも１箇所に引張力を加えれば良い。すなわち、この引張力に相当するスプリング８の復元力により、スクリーン２に発生する弛みが除去可能となる。このように、スプリング８は、理論上、引出し側立柱４の上部に設けられるほど効果があり、スクリーン２の縁部６が係止される範囲より上にスプリング８を設けることが好ましい。
【００２８】
図５を用いて、第１の実施形態による接続部材７の引出し側立柱４への取付けについて説明する。図５中に示す角度（β）は微小な角度であるが、説明のため角度を強調して表示する。図５（ａ）は、巻上げ側立柱３からスクリーン２を引き出し、スクリーン２の接続部材７の下端の突起部９ｂのみを、立柱下端部１４の円環部１０ｂに係止した状態を示す。このとき、縁部６の下端の縁部接触面２６は、接続部材７の接続部材接触面２７と接触する。一方、接続部材７の上端の突起部９ａは、スプリング８の復元力による抵抗があるために立柱上端部１３の円環部１０ａには到達していない。従って、接続部材７は、引出し側立柱４に対して角度（β）をもって接触する。
【００２９】
図５（ｂ）は、接続部材７の上端を引出し側立柱４へと引き寄せた状態を示す。このときクリーン２の接続部材７の上端の突起部９ａについても、立柱上端部１３の円環部１０ａに係止される。このように接続部材７が引出し側立柱４に接続された状態において、スプリング８は初期の収縮に加えて更に収縮され、スクリーン２の上端側にスプリング８の復元力による引張力を生じさせる。このとき、縁部６の接続部材７の上端の縁部接触面２６と接続部材７の接続部材接触面２７とが、スプリング８の復元力により離間するように、予めスプリング８に加える収縮量を調節しておく。このスプリング８の復元力により、スクリーン２の上端は下端に比べ引出し側立柱４へと引き寄せられ、スクリーン端部２１は引出し側端部において下端から上端に向かって傾斜する。このようにスクリーン端部２１が傾斜することでスクリーン２の面に発生する弛みを除去する。
【００３０】
（第２の実施形態）
また、本発明のスクリーン２の弛みの除去方法についての第２の実施形態を、図６を用いて説明する。本実施形態では、第１の実施形態の構成に加えて、引き出されたスクリーンの端部と引出し側立柱との間隔を上端が下端よりも大きくなるように、スクリーン２の引出し側端部１１において下端から上端に向かって角度（θ）だけ傾斜させる。つまり、図１の寸法Ｄ１がＤ２よりも大きくなるように、理論的にはその傾斜角が、おおよそ図４（ｂ）に示す角度（α）程度になるように予めスクリーン２の引出し側端部１１の寸法を調整しておく。このように、スクリーン２の形状を予め変形を受けた後の形状にしておけば、理論上はスクリーン２には弛みは発生しないことになる。
【００３１】
この傾斜角（θ）は、理論的には上述したスクリーン２の変形量により算出されるが、試作実験等により適切な角度が選択されても良い。また、この傾斜をつけるために、スクリーン２の引出し側端部１１自体を斜めに切断しても良く、或いは、スクリーン２を縁部６に定着させる際に調節しても良い。
【００３２】
図６を用いて、第２の実施形態による接続部材７の引出し側立柱４への取付けについて説明する。図６は、図５（ｂ）に相当する状態であるが、この状態であっても接続部材７の上端の突起部９ａは、まだ立柱上端部１３の円環部１０ａには到達しない。これは、上述したように、引き出されたスクリーン２の縁部６と引出し側立柱４との間隔を上端が下端よりも大きくなるように、引出し側端部１１において上下方向に傾斜角（θ）が設けられていることによる。この状態から、さらに接続部材７の上端を引出し側立柱４へと引き寄せることで、接続部材７の上端の突起部９ａが、立柱上端部１３の円環部１０ａに到達し、接続部材７の上端を引出し側立柱４に接続することができる。この接続部材７の上端を引き寄せることで、スプリング８を収縮させて接続部材７の上端を引出し側立柱４に接続することができる。このとき、スクリーン２の面には微小な伸びが発生する。このスクリーン２の面の微小な伸びは、図４（ｂ）に示す、スクリーン２の自重により発生する弛みをほぼ打ち消すような伸びとなり、スクリーン２の面に発生する弛みが除去される。
【００３３】
本実施形態では、第１の実施形態のようにスプリング８を予め収縮させなくても、スクリーン２の面に微小な伸びを発生させることで、スクリーン２の面に発生する弛みを除去することが可能となる。従って、断面が薄く伸び剛性の低い素材から成るスクリーン２の場合に効果的である。また、スプリング８を予め収縮させ、スクリーン２の面に微小な伸びとの組み合わせにより、スクリーン２の面に発生する弛みを除去しても良い。
【図面の簡単な説明】
【００３４】
【図１】本発明に係るロール式可動間仕切の１つの実施形態の概略構成を示す一部断面図である。
【図２】図１の一部を拡大した断面図である。
【図３】図２のＡ−Ａ断面図及びＢ−Ｂ断面図である。
【図４】スクリーン面に発生する弛みについての説明図である。
【図５】スクリーンの弛みの除去方法についての第１実施形態を説明する断面図である。
【図６】スクリーンの弛みの除去方法についての第２実施形態を説明する断面図である。
【図７】従来のロール式可動間仕切の１つの実施例を示す側面図である。
【符号の説明】
【００３５】
１，１００  ロール式可動間仕切、２  スクリーン、３  巻上げ側立柱、４  引出し側立柱、５  脚部、６  縁部、７  接続部材、８  バネ材（スプリング）、９ａ，９ｂ  突起部、１０ａ，１０ｂ  円環部、１１  引出し側端部、１２  立柱本体部、１３  立柱上端部、１４  立柱下端部、１６  スクリーン定着金物、１７  スクリーン保護材、１８  折り曲げ部、１９  定着部、２０  収納部、２１  スクリーン端部、２２  嵌合部、２３  スプリング取付け用ピン、２４  開口部、２５  突起部収納スペース、２６  縁部接触面、２７  接続部材接触面。
【図１】
2008248550.tif 000003
【図２】
2008248550.tif 000004
【図３】
2008248550.tif 000005
【図４】
2008248550.tif 000006
【図５】
2008248550.tif 000007
【図６】
2008248550.tif 000008
【図７】
2008248550.tif 000009